(57)【特許請求の範囲】
【請求項１】
第１通信路および第２通信路と、第１端子および第２端子を有する第１雌コネクタおよび第２雌コネクタとを有し、前記第１通信路の一端を第１雌コネクタの第１端子に、他端を第２雌コネクタの第２端子に接続し、前記第２通信路の一端を第１雌コネクタの第２端子に、他端を第２雌コネクタの第１端子に接続した通信用ケーブルと、
第３通信路、第４通信路および第５通信路と、前記第１および第２雌コネクタの第１端子および第２端子とそれぞれ接続可能な第１端子および第２端子を有する第１雄コネクタおよび第２雄コネクタと、前記第１および第２雌コネクタと同様の第３雌コネクタとを有し、前記第３通信路の一端を第１雄コネクタの第１端子に、他端を第３雌コネクタの第１端子に接続し、前記第４通信路の一端を第３雌コネクタの第２端子に、他端を第２雄コネクタの第２端子に接続し、前記第５通信路の一端を第２雄コネクタの第１端子に、他端を第１雄コネクタの第２端子に接続した分岐アダプタとを備えたことを特徴とする通信用伝送路。
【請求項２】
請求項１記載の第１から第３の雌コネクタの第１端子および第２端子とそれぞれ接続可能な第１端子および第２端子を有する雄レセプタクルと、２組の終端装置と、トランシーバにおいて送信部と受信部が接続されるバストポロジ用トランシーバを備え、前記２組の終端装置を雄レセプタクルの第１端子および第２端子にそれぞれ接続し、バストポロジ用トランシーバを前記第１端子または第２端子のいずれかに接続したことを特徴とするバストポロジ用終端内蔵端末。
【請求項３】
請求項１記載の第１から第３の雌コネクタの第１端子および第２端子とそれぞれ接続可能な第１端子および第２端子を有する雄レセプタクルと、トランシーバにおいて送信部と受信部が接続されるバストポロジ用トランシーバを備え、雄レセプタクルの第１端子と第２端子とバストポロジ用トランシーバとをそれぞれ接続したことを特徴とするバストポロジ用終端非内蔵端末。
【請求項４】
請求項１記載の通信用伝送路に、請求項２記載のバストポロジ用終端内蔵端末を１台と、請求項３記載のバストポロジ用終端非内蔵端末を複数台接続したことを特徴とするバストポロジ通信システム。
【請求項５】
請求項１記載の第１から第３の雌コネクタの第１端子および第２端子とそれぞれ接続可能な第１端子および第２端子を有する雄レセプタクルと、２組の終端装置と、トランシーバにおいて送信部と受信部が独立のループトポロジ用トランシーバを備え、前記２組の終端装置を雄レセプタクルの第１および第２端子にそれぞれ接続し、ループトポロジ用トランシーバの受信部を雄レセプタクルの第１端子または第２端子に、送信部を他方の端子にそれぞれ接続したことを特徴とするループトポロジ用端末。
【請求項６】
請求項１記載の第１から第３の雌コネクタの第１端子および第２端子とそれぞれ接続可能な第１端子および第２端子を有する雄レセプタクルと、伝送媒体を光ファイバとするループトポロジ用光トランシーバを備え、前記ループトポロジ用光トランシーバの受信部を雄レセプタクルの第１端子または第２端子に、送信部を他方の端子にそれぞれ接続したことを特徴とするループトポロジ用光通信端末。
【請求項７】
請求項１記載の通信用伝送路に、請求項５記載のループトポロジ用端末または請求項６記載のループトポロジ用光通信端末を複数台接続したことを特徴とするループトポロジ通信システム。
【請求項８】
第１通信路および第２通信路と、第１端子および第２端子を有する第１雄コネクタおよび第２雄コネクタとを有し、前記第１通信路の一端を第１雄コネクタの第１端子に、他端を第２雄コネクタの第２端子に接続し、前記第２通信路の一端を第１雄コネクタの第２端子に、他端を第２雄コネクタの第１端子に接続した通信用ケーブルと、
第３通信路、第４通信路および第５通信路と、前記第１および第２雄コネクタの第１端子および第２端子とそれぞれ接続可能な第１端子および第２端子を有する第１雌コネクタおよび第２雌コネクタと、前記第１および第２雄コネクタと同様の第３雄コネクタとを有し、前記第３通信路の一端を第１雌コネクタの第１端子に、他端を第３雄コネクタの第１端子に接続し、前記第４通信路の一端を第３雄コネクタの第２端子に、他端を第２雌コネクタの第２端子に接続し、前記第５通信路の一端を第２雌コネクタの第１端子に、他端を第１雌コネクタの第２端子に接続した分岐アダプタとを備えたことを特徴とする通信用伝送路。
【請求項９】
請求項８記載の第１から第３の雄コネクタの第１端子および第２端子とそれぞれ接続可能な第１端子および第２端子を有する雌レセプタクルと、２組の終端装置と、トランシーバにおいて送信部と受信部が接続されるバストポロジ用トランシーバを備え、前記２組の終端装置を雌レセプタクルの第１端子および第２端子にそれぞれ接続し、バストポロジ用トランシーバを前記第１端子または第２端子のいずれかに接続したことを特徴とするバストポロジ用終端内蔵端末。
【請求項１０】
請求項８記載の第１から第３の雄コネクタの第１端子および第２端子とそれぞれ接続可能な第１端子および第２端子を有する雌レセプタクルと、トランシーバにおいて送信部と受信部が接続されるバストポロジ用トランシーバを備え、雌レセプタクルの第１端子と第２端子とバストポロジ用トランシーバとをそれぞれ接続したことを特徴とするバストポロジ用終端非内蔵端末。
【請求項１１】
請求項８記載の通信用伝送路に、請求項９記載のバストポロジ用終端内蔵端末を１台と、請求項１０記載のバストポロジ用終端非内蔵端末を複数台接続したことを特徴とするバストポロジ通信システム。
【請求項１２】
請求項８記載の第１から第３の雄コネクタの第１端子および第２端子とそれぞれ接続可能な第１端子および第２端子を有する雌レセプタクルと、２組の終端装置と、トランシーバにおいて送信部と受信部が独立のループトポロジ用トランシーバを備え、前記２組の終端装置を雌レセプタクルの第１および第２端子にそれぞれ接続し、ループトポロジ用トランシーバの受信部を雌レセプタクルの第１端子または第２端子に、送信部を他方の端子にそれぞれ接続したことを特徴とするループトポロジ用端末。
【請求項１３】
請求項８記載の第１から第３の雄コネクタの第１端子および第２端子とそれぞれ接続可能な第１端子および第２端子を有する雌レセプタクルと、伝送媒体を光ファイバとするループトポロジ用光トランシーバを備え、前記ループトポロジ用光トランシーバの受信部を雌レセプタクルの第１端子または第２端子に、送信部を他方の端子にそれぞれ接続したことを特徴とするループトポロジ用光通信端末。
【請求項１４】
請求項８記載の通信用伝送路に、請求項１２記載のループトポロジ用端末または請求項１３記載のループトポロジ用光通信端末を複数台接続したことを特徴とするループトポロジ通信システム。
【発明の詳細な説明】
【０００１】
【発明の属する技術分野】
本発明は、家庭内、社内および車内などの高速ローカル・エリア・ネットワーク（ＬＡＮ）や、パーソナルコンピュータ（ＰＣ）とその周辺機器との接続などに用いられる通信用伝送路および通信用端末およびこれらを用いた通信システムに関する。
【０００２】
【従来の技術】
従来、ＰＣとその周辺機器との接続にはＳＣＳＩ（Small Computer System Interface）バスなどが使用されている。この種のＳＣＳＩバスにおける終端方法としては、例えば、特開平5-224792号公報に示されている。この終端方法は、図１１に示すように、バス接続用ケーブルが接続されシステム１、２、３間をバス接続するのに用いられるバス接続用の２つの接合部１０，１１、１２，１３、１４，１５と、システム１、２、３内に設けた終端回路７、８、９に接続されるバス終端用の１つの接合部１６、１７、１８とを備え、端末に位置するシステム１、３のバスの終端は、１つのバス接続用の接合部１０、１５とバス終端用の接合部１６、１８とをケーブル１９、２３によってそれぞれ接続することにより行なうものである。
【０００３】
一方、車内に配置される複数の端末（例えば、ナビゲーション装置やオーディオ装置など）の間で、データ伝送を行うための通信システムとしては、例えば、特開平6-244846号公報に示されるように、ツイストペア線を使ったバス型のＬＡＮシステムが提案されている。
【０００４】
また、ループ型ＬＡＮには、伝送媒体としてプラスチック光ファイバ（ＰＯＦ）などが使用されている。この種のループ型光ＬＡＮにおけるコネクタとしては、例えば、ＪＩＳ規格に準拠した単方向用のＦ０５型コネクタや双方向用のＦ０７型コネクタが提案されている。
【０００５】
また、ＬＡＮにおける伝送路の配線形態をメディアに合わせ自由に構成できる配線システムとしては、例えば、特開平7-288853号公報に示されるように、管理装置が、使用する機器に適するケーブルと各メディアに適するネットワークの配線形態を選択し、電子的なスイッチングによって最適なネットワークを構築するものが提案されている。
【０００６】
【発明が解決しようとする課題】
しかしながら、上記のような従来例による構成の通信用伝送路および通信用端末や通信システムでは以下のような課題がある。まず、上記のＳＣＳＩバスの場合は、全ての端末に終端を備えており、ケーブルの接続によってバスの両端を終端するため、各端末には通信用コネクタ２つと終端用コネクタ１つの合計３つの同形状のコネクタが存在しており、ケーブルと通信用コネクタを接続することでバス型の配線を構成し、さらにはその両端に配置される端末を把握した上でバスを終端しなければならず、特に隣接する端末を容易に確認できない状況、例えば車内において助手席の下とトランクルームにそれぞれ隣接する端末が配置される場合には、配線や端末の追加が複雑で配線作業に時間を要し、コネクタの数が多くなるという問題があった。
【０００７】
また、ツイストペア線を使ったバス型のＬＡＮシステムの場合は、例えば比誘電率εrが2.2のツイストペア線における波長短縮率α＝1／√(εr)は約0.67であるため、伝送速度の比較的低速な車内ＬＡＮにおいて周波数f1=100kHzの信号が存在する場合、波長λ1＝α・C／f1（Ｃ＝3×108m：光速）は約2000mであり、λ1／2（約1000m）の距離を伝送した信号の位相が180度反転する。車内におけるツイストペア線の総延長をせいぜい100mとすると、開放端（終端なし）の場合でも定在波は存在し得ない。よって、反射波による通信品質の劣化の点において、バスの両端に位置する終端の重要性は低い。しかしながら伝送速度の高速な車内ＬＡＮにおいて周波数f2＝10MHzの信号が存在する場合においては、同様の計算によってλ2／2（約10m）の距離を伝送信号の位相が180度反転する。車内のツイストペア線の総延長を同様に100mとすると、開放端とした場合には定在波が存在し得る。よって、反射波による通信品質の劣化の点において、バスの両端に位置する終端の重要性が高い。しかしながら、終端装置が単独の部品として存在する場合には、終端装置を接続し忘れる可能性があるという問題があった。
【０００８】
また、上記のループ型光ＬＡＮの場合、送受同形状のF05型コネクタでは、隣接する端末の送信側と受信側を把握してループ型の配線を構成しなければならず、特に隣接する端末を容易に確認できない状況では、配線や端末の追加が複雑で送信側と受信側のコネクタを誤って挿入する可能性があるという問題があった。一方、送受一体のF07型コネクタでは、送信側と受信側の誤挿入を避けることはできるが、端末を追加する際は、伝送路を切断して新たなコネクタに、この伝送路を送信側と受信側の区別を把握した上でアセンブリしなければならず、特に隣接する端末を容易に確認できない状況では、配線や端末の追加が複雑で、配線作業に時間を要するという問題があった。
【０００９】
また、上記の配線システムの場合、端末の追加にも容易に対応できるようにあらかじめ配線をしておけば、配線作業や端末の追加は容易になるが、管理装置が必要となるだけでなく、トポロジ管理方法も複雑で、不要な伝送路もあるために高価であるという問題があった。
【００１０】
本発明では、上記のような問題を解決し、雌雄２種類のコネクタと通信路のみで構成され、同じ構成であるにもかかわらず、バストポロジにもループトポロジにも利用することができ、通信システムを容易に構築できる安価な通信用伝送路、通信用端末およびこれらを用いた通信システムを提供することを目的とする。
【００１１】
また、本発明は、終端を備える端末は１つのみで、その配置には制限がなく、終端を意識することなく配線や端末の追加が容易にでき、配線作業の時間を短縮できるバストポロジ用端末およびバストポロジ通信システムを提供することを目的とする。
【００１２】
また、本発明は、送信側と受信側のコネクタの誤挿入を防止することができ、ループを意識するすることなく配線や端末の追加が容易にでき、配線作業の時間を短縮できるループトポロジ用端末およびループトポロジ通信システムを提供することを目的とする。
【００１４】
【課題を解決するための手段】
上記問題を解決するために、本発明の通信用伝送路は、第１通信路および第２通信路と、第１端子および第２端子を有する第１雌コネクタおよび第２雌コネクタとを有し、前記第１通信路の一端を第１雌コネクタの第１端子に、他端を第２雌コネクタの第２端子に接続し、前記第２通信路の一端を第１雌コネクタの第２端子に、他端を第２雌コネクタの第１端子に接続した通信用ケーブルを備え、また、第３通信路、第４通信路および第５通信路と、前記第１および第２雌コネクタの第１端子および第２端子とそれぞれ接続可能な第１端子および第２端子を有する第１雄コネクタおよび第２雄コネクタと、前記第１および第２雌コネクタと同様の第３雌コネクタとを有し、前記第３通信路の一端を第１雄コネクタの第１端子に、他端を第３雌コネクタの第１端子に接続し、前記第４通信路の一端を第３雌コネクタの第２端子に、他端を第２雄コネクタの第２端子に接続し、前記第５通信路の一端を第２雄コネクタの第１端子に、他端を第１雄コネクタの第２端子に接続した分岐アダプタとを備えたものである。この構成により、雌雄２種類のコネクタと通信路のみで構成され、同じ構成であるにもかかわらずバストポロジにもループトポロジにも利用することができ、通信システムを容易に構築できる安価な通信用伝送路を提供することができる。
【００１５】
また、本発明のバストポロジ用終端内蔵端末は、前記第１から第３の雌コネクタの第１端子および第２端子とそれぞれ接続可能な第１端子および第２端子を有する雄レセプタクルと、２組の終端装置と、トランシーバにおいて送信部と受信部が接続されるバストポロジ用トランシーバを備え、前記２組の終端装置を雄レセプタクルの第１端子および第２端子にそれぞれ接続し、バストポロジ用トランシーバを前記第１端子または第２端子のいずれかに接続したものである。この構成により、終端を備える端末は１つのみでその配置には制限がなく、終端を意識する必要がないため、配線や端末の追加が容易で、配線作業の時間を短縮できるバストポロジ用終端内蔵端末を提供することができる。
【００１６】
また、本発明のバストポロジ用終端非内蔵端末は、前記第１から第３の雌コネクタの第１端子および第２端子とそれぞれ接続可能な第１端子および第２端子を有する雄レセプタクルと、トランシーバにおいて送信部と受信部が接続されるバストポロジ用トランシーバを備え、雄レセプタクルの第１端子と第２端子とバストポロジ用トランシーバとをそれぞれ接続したものである。この構成により、終端を備える端末は１つのみでその配置には制限がなく、終端を意識する必要がないため、配線や端末の追加が容易で、配線作業の時間を短縮できるバストポロジ用終端非内蔵端末を提供することができる。
【００１７】
また、本発明のバストポロジ通信システムは、前記通信用伝送路に、前記バストポロジ用終端内蔵端末を１台と、前記バストポロジ用終端非内蔵端末を複数台接続したものである。この構成により、終端を備える端末は１つのみでその配置には制限がなく、終端を意識することなく容易に配線や端末の追加ができ、配線作業の時間を短縮でき、伝送速度が高速でも通信品質の高いバストポロジ通信システムを提供することができる。
【００１８】
また、本発明のループトポロジ用端末は、前記第１から第３の雌コネクタの第１端子および第２端子とそれぞれ接続可能な第１端子および第２端子を有する雄レセプタクルと、２組の終端装置と、トランシーバにおいて送信部と受信部が独立のループトポロジ用トランシーバを備え、２組の終端装置を雄レセプタクルの第１および第２端子にそれぞれ接続し、ループトポロジ用トランシーバの受信部を雄レセプタクルの第１端子または第２端子に、送信部を他方の端子にそれぞれ接続したものである。この構成により、送信側と受信側のコネクタの誤挿入を防止することができ、ループを意識する必要がないため、配線や端末の追加が容易で、配線作業の時間を短縮できるループトポロジ用端末を提供することができる。
【００１９】
また、本発明のループトポロジ用光通信端末は、前記第１から第３の雌コネクタの第１端子および第２端子とそれぞれ接続可能な第１端子および第２端子を有する雄レセプタクルと、伝送媒体を光ファイバとするループトポロジ用光トランシーバを備え、ループトポロジ用光トランシーバの受信部を雄レセプタクルの第１端子または第２端子に、送信部を他方の端子にそれぞれ接続したものである。この構成により、送信側と受信側のコネクタの誤挿入を防止することができ、ループを意識する必要がないため、配線や端末の追加が容易で、配線作業の時間を短縮できるループトポロジ用光通信端末を提供することができる。
【００２０】
また、本発明のループトポロジ通信システムは、前記通信用伝送路に、前記ループトポロジ用端末またはループトポロジ用光通信端末を複数台接続したものである。この構成により、送信側と受信側のコネクタの誤挿入を防止することができ、ループを意識する必要がないため、配線や端末の追加が容易で、配線作業の時間を短縮でき、伝送速度が高速でも通信品質の高いループトポロジ通信システムを提供することができる。
また、本発明は、上記のコネクタおよびレセプタクルの雌雄を逆にして次にように構成することができる。
第１通信路および第２通信路と、第１端子および第２端子を有する第１雄コネクタおよび第２雄コネクタとを有し、前記第１通信路の一端を第１雄コネクタの第１端子に、他端を第２雄コネクタの第２端子に接続し、前記第２通信路の一端を第１雄コネクタの第２端子に、他端を第２雄コネクタの第１端子に接続した通信用ケーブルと、第３通信路、第４通信路および第５通信路と、前記第１および第２雄コネクタの第１端子および第２端子とそれぞれ接続可能な第１端子および第２端子を有する第１雌コネクタおよび第２雌コネクタと、前記第１および第２雄コネクタと同様の第３雄コネクタとを有し、前記第３通信路の一端を第１雌コネクタの第１端子に、他端を第３雄コネクタの第１端子に接続し、前記第４通信路の一端を第３雄コネクタの第２端子に、他端を第２雌コネクタの第２端子に接続し、前記第５通信路の一端を第２雌コネクタの第１端子に、他端を第１雌コネクタの第２端子に接続した分岐アダプタとを備えたことを特徴とする通信用伝送路。
前記第１から第３の雄コネクタの第１端子および第２端子とそれぞれ接続可能な第１端子および第２端子を有する雌レセプタクルと、２組の終端装置と、トランシーバにおいて送信部と受信部が接続されるバストポロジ用トランシーバを備え、前記２組の終端装置を雌レセプタクルの第１端子および第２端子にそれぞれ接続し、バストポロジ用トランシーバを前記第１端子または第２端子のいずれかに接続したことを特徴とするバストポロジ用終端内蔵端末。
前記第１から第３の雄コネクタの第１端子および第２端子とそれぞれ接続可能な第１端子および第２端子を有する雌レセプタクルと、トランシーバにおいて送信部と受信部が接続されるバストポロジ用トランシーバを備え、雌レセプタクルの第１端子と第２端子とバストポロジ用トランシーバとをそれぞれ接続したことを特徴とするバストポロジ用終端非内蔵端末。
前記通信用伝送路に、前記バストポロジ用終端内蔵端末を１台と、前記バストポロジ用終端非内蔵端末を複数台接続したことを特徴とするバストポロジ通信システム。
前記第１から第３の雄コネクタの第１端子および第２端子とそれぞれ接続可能な第１端子および第２端子を有する雌レセプタクルと、２組の終端装置と、トランシーバにおいて送信部と受信部が独立のループトポロジ用トランシーバを備え、前記２組の終端装置を雌レセプタクルの第１および第２端子にそれぞれ接続し、ループトポロジ用トランシーバの受信部を雌レセプタクルの第１端子または第２端子に、送信部を他方の端子にそれぞれ接続したことを特徴とするループトポロジ用端末。
前記第１から第３の雄コネクタの第１端子および第２端子とそれぞれ接続可能な第１端子および第２端子を有する雌レセプタクルと、伝送媒体を光ファイバとするループトポロジ用光トランシーバを備え、前記ループトポロジ用光トランシーバの受信部を雌レセプタクルの第１端子または第２端子に、送信部を他方の端子にそれぞれ接続したことを特徴とするループトポロジ用光通信端末。
前記通信用伝送路に、前記ループトポロジ用端末または前記ループトポロジ用光通信端末を複数台接続したことを特徴とするループトポロジ通信システム。
【００２１】
【発明の実施の形態】
以下、本発明の実施の形態について、図面を用いて説明する。
（第1の実施の形態）
図1は本発明の第1の実施の形態の構成を示すバストポロジ通信システムである。このシステムは、通信用ケーブル400、分岐アダプタ500、バストポロジ用終端内蔵端末600、バストポロジ用終端非内蔵端末700を備えている。以下に各部について詳細に説明する。
【００２２】
図２は通信用ケーブル400、図３は分岐アダプタ500の詳細を示している。通信路101から105は、ツイストペア線や同軸線などの金属導体、あるいはPOFなどである。第１、第２、第３雌コネクタ201から203は、それぞれ第１端子20x-1(x=1,2,3)と第２端子20x-2(x=1,2,3)を備えている。第１、第２雄コネクタ301と302は、それぞれ第１端子30x-1(x=1,2)と第２端子30x-2(x=1,2)を備えている。
【００２３】
図２において、第１通信路101の一端は第１雌コネクタ201の第１端子201-1、他端は第２雌コネクタ202の第２端子202-2にそれぞれ接続され、第２通信路102の一端は第１雌コネクタ201の第２端子201-2、他端は第２雌コネクタ202の第１端子202-1にそれぞれ接続される。
【００２４】
図３において、第３通信路103の一端は第１雄コネクタ301の第１端子301-1、他端は第３雌コネクタ203の第１端子203-1にそれぞれ接続され、第４通信路104の一端は第３雌コネクタ203の第２端子203-2、他端は第２雄コネクタ302の第２端子302-2にそれぞれ接続され、第５通信路105の一端は第２雄コネクタ302の第１端子302-1、他端は第１雄コネクタ301の第２端子301-2にそれぞれ接続されている。
【００２５】
なお、通信用ケーブル400は、第１通信路101および第２通信路102を束ねて被覆を施してもよく、分岐アダプタ500は、第３通信路103から第５通信路105を筐体に納めてもよい。
【００２６】
図４はバストポロジ用終端内蔵端末600、図５はバストポロジ用終端非内蔵端末700の詳細を示している。バストポロジ用終端内蔵端末600は、終端装置601-1と601-2、バストポロジ用トランシーバ602および雄レセプタクル303を備えており、バストポロジ用終端非内蔵端末700は、バストポロジ用トランシーバ602および雄レセプタクル303を備えている。雄レセプタクル303は、第１端子303-1と第２端子303-2を備えている。ここで、バストポロジ用終端内蔵端末600は、車内ＬＡＮシステムにおいてはナビゲーション装置、クライアントサーバシステムにおいてはサーバＰＣといったシステムにおいて欠くことのできない装置であり、バストポロジ用終端非内蔵端末700は、車内ＬＡＮシステムにおいてはオーディオ装置や電話回線を介して外部より各種情報を受信する受信装置などであり、クライアントサーバシステムにおいてはクライアント装置などである。
【００２７】
図４において、雄レセプタクル303の第１端子303-1および第2端子303-2は、終端装置601-1および601-2にそれぞれ接続され、第２端子303-2には、さらに終端装置601-2（終端装置601-1でもよい。）を介してバストポロジ用トランシーバ装置602が接続されている。
【００２８】
図５において、雄レセプタクル303の第１端子303-1は、第２端子303-2に接続され、更にバストポロジ用トランシーバ装置602に接続されている。
【００２９】
ここで、前記第１雌コネクタ201から第３雌コネクタ203は、第１雄コネクタ301と第２雄コネクタ302および雄レセプタクル303のいずれにも接続され、それぞれの第１端子同士20x-1(x=1,2,3)と30x-1(x=1,2,3)、それぞれの第２端子同士20x-2(x=1,2,3)と30x-2(x=1,2,3)が接続される。
【００３０】
このように、本実施の形態による通信用伝送路は、第１通信路101および第２通信路102と、第１端子および第２端子を有する第１雌コネクタ201および第２雌コネクタ202とを有し、第１通信路101の一端を第１雌コネクタ201の第１端子201-1に、他端を第２雌コネクタ202の第２端子202-2に接続し、第２通信路102の一端を第１雌コネクタ201の第２端子201-2に、他端を第２雌コネクタ202の第１端子202-1に接続した通信用ケーブル400を備え、また、第３通信路103、第４通信路104および第５通信路105と、第１および第２雌コネクタ201
、202の第１端子および第２端子とそれぞれ接続可能な第１端子および第２端子を有する第１雄コネクタ301および第２雄コネクタ302と、第１および第２雌コネクタと同様の第３雌コネクタ203とを有し、第３通信路103の一端を第１雄コネクタ301の第１端子301-1に、他端を第３雌コネクタ203の第１端子203-1に接続し、第４通信路104の一端を第３雌コネクタ203の第２端子203-2に、他端を第２雄コネクタ302の第２端子302-2に接続し、第５通信路105の一端を第２雄コネクタ302の第１端子302-1に、他端を第１雄コネクタ301の第２端子301-2に接続した分岐アダプタ500とを備えている。
【００３１】
また、本実施の形態によるバストポロジ通信システムは、１つのバストポロジ用終端内蔵端末600と２つのバストポロジ用終端非内蔵端末700-1と700-2の合計３つの端末を、２つの通信用ケーブル400-1と400-2と１つの分岐アダプタ500-1とで接続したものである。バストポロジ用終端内蔵端末600は、第１から第３の雌コネクタ201、202、203の第１端子および第２端子とそれぞれ接続可能な第１端子および第２端子を有する雄レセプタクル303と、２組の終端装置601-1、601-2と、トランシーバにおいて送信部と受信部が接続されるバストポロジ用トランシーバ602を備え、これら２組の終端装置601-1、601-2を雄レセプタクル303の第１端子303-1および第２端子303-2にそれぞれ接続し、バストポロジ用トランシーバ602を第１端子303-1または第２端子303-2のいずれかに接続したものである。また、バストポロジ用終端非内蔵端末700-1と700-2は、第１から第３の雌コネクタ201、202、203の第１端子および第２端子とそれぞれ接続可能な第１端子および第２端子を有する雄レセプタクル303と、トランシーバにおいて送信部と受信部が接続されるバストポロジ用トランシーバ602を備え、雄レセプタクル303の第１端子303-1と第２端子303-2とバストポロジ用トランシーバ602とをそれぞれ接続したものである。
【００３２】
本実施の形態は、以上の構成を備えることにより、バストポロジ通信システムにおいて、終端を備える端末は１つのみとすることができ、また、終端を備えた端末の配置制限をなくすことができる。また、通信用伝送路の両端や終端装置を意識する必要がないため、配線や端末の追加が容易で、配線作業の時間を短縮することができるとともに、伝送速度が高速でも通信品質の劣化を抑えることができる。
【００３３】
なお、本実施の形態は、１つのバストポロジ用終端内蔵端末600と２つのバストポロジ用終端非内蔵端末700-1と700-2の合計３つの端末を、２つの通信用ケーブル400-1と400-2と１つの分岐アダプタ500-1で構成される通信用伝送路を用いて接続した例であるが、図６または図７に示すように、もう１つのバストポロジ用終端非内蔵端末700-3を追加する場合は、さらに１つの通信用ケーブル400-3と１つの分岐アダプタ500-2を用いて接続することにより、容易に追加することができる。
【００３４】
また、１つのバストポロジ用終端内蔵端末600の配置は、上記実施の形態に限るものではなく、バストポロジ用終端非内蔵端末700-1や700-2と入れ替えてもよく、同様にバストポロジ通信システムを構築することができる。さらに、コネクタおよびレセプタクルの雌雄についても、上記実施の形態に限るものではなく、雌雄を逆にしても同様の効果が得られる。
【００３５】
（第２の実施の形態）
次に、本発明の第２の実施の形態におけるループトポロジ通信システムについて図８を参照して説明する。なお、図８に示すループトポロジ通信システムにおいて、第１の実施の形態と同一の通信用伝送路については同一の名称と符号を付して詳細な説明は省略する。本実施の形態におけるループトポロジ通信システムは、３つのループトポロジ用端末800-1から800-3を、２つの通信用ケーブル400-1と400-2と１つの分岐アダプタ500-1で構成される通信用伝送路を用いて接続してある。
【００３６】
図９はループトポロジ用端末800の詳細を示しており、第１端子303-1および第２端子303-2を有する雄レセプタクル303と、終端装置601-1および601-2と、受信部801-1および送信部801-2を有するループトポロジ用トランシーバ801とを備えている。雄レセプタクル303の第１端子303-1は、終端装置601-1を介してループトポロジ用トランシーバ801の受信部801-1に接続され、第２端子303-2は、終端装置601-2を介してループトポロジ用トランシーバ801の送信部801-2に接続されている。ここで、雄レセプタクル303は、第１の実施の形態におけるバストポロジ用終端内蔵端末600およびバストポロジ用終端非内蔵端末700に備えた雄レセプタクルと全く同形状である。
【００３７】
このように、本実施の形態によるループトポロジ通信システムは、３つのループトポロジ用端末800-1から800-3を、２つの通信用ケーブル400-1と400-2と１つの分岐アダプタ500-1で構成される通信用伝送路を用いて接続したものであり、ループトポロジ用端末800は、第１から第３の雌コネクタ201、202、203の第１端子および第２端子とそれぞれ接続可能な第１端子および第２端子を有する雄レセプタクル303と、２組の終端装置601-1、601-2と、トランシーバにおいて送信部801-2と受信部801-1が独立のループトポロジ用トランシーバ801を備え、２組の終端装置601-1、601-2を雄レセプタクル303の第１端子303-1および第２端子303-2にそれぞれ接続し、ループトポロジ用トランシーバ801の受信部801-1を雄レセプタクル303の第１端子303-1または第２端子303-2に、送信部801-2を他方の端子にそれぞれ接続したものである。
【００３８】
本実施の形態は、以上の構成を備えることにより、ループトポロジ通信システムにおいて、送信側と受信側のコネクタの誤挿入を防止することができる。また、ループを意識する必要がないため、配線や端末の追加が容易で、配線作業の時間を短縮することができるとともに、伝送速度が高速でも通信品質の劣化を抑えることができる。
【００３９】
なお、本実施の形態では、３つのループトポロジ用端末800-1から800-3を、２つの通信用ケーブル400-1と400-2と１つの分岐アダプタ500-1で構成される通信用伝送路を用いて接続してあるが、もう１つのループトポロジ用終端非内蔵端末を追加する場合は、さらに１つの通信用ケーブル400-3と１つの分岐アダプタ500-2を用いて、図６あるいは図７の通信用伝送路のように構成すれば容易に追加することができる。
【００４０】
図１０は本実施の形態におけるループトポロジ用端末の変更例を示している。ループトポロジ用光通信端末900は、第１端子303-1および第２端子303-2を有する雄レセプタクル303と、受信部901-1および送信部901-2を有するループトポロジ用光トランシーバ901を備えている。受信部901-1は、光信号を電気信号に変換する光電気変換装置(Ｏ／Ｅ)であり、送信部901-2は、電気信号を光信号に変換する電気光変換装置(Ｅ／Ｏ)である。雄レセプタクル303の第１端子303-1は、ループトポロジ用光トランシーバ901の受信部901-1に、第２端子303-2はループトポロジ用光トランシーバ901の送信部901-2にそれぞれ接続されている。
【００４１】
このように、本実施の形態によるループトポロジ用光通信端末900は、第１から第３の雌コネクタ201、202、203の第１端子および第２端子とそれぞれ接続可能な第１端子および第２端子を有する雄レセプタクル303と、伝送媒体を光ファイバとするループトポロジ用光トランシーバ901を備え、ループトポロジ用光トランシーバ901の受信部901-1を雄レセプタクル303の第１端子303-1または第２端子303-2に、送信部901-2を他方の端子にそれぞれ接続したものである。
【００４２】
したがって、図８における通信用ケーブル400および分岐アダプタ500の通信路をツイストペア線や同軸線から光ファイバに変更することにより、同様にして複数のループトポロジ用光通信端末900を接続してループトポロジ通信システムを構築することができる。
【００４３】
なお、本実施の形態においても、コネクタおよびレセプタクルの雌雄は上記実施の形態に限るものではなく、雌雄を逆にしても同様の効果が得られる。
【００４４】
また、上記２つの実施の形態から、通信用伝送路は雌雄２種類のコネクタと通信路のみで構成され、同じ構成であるにもかかわらずバストポロジにもループトポロジにも利用することができ、通信システムを容易にかつ安価に構築することができる。
【００４５】
【発明の効果】
以上のように、本発明の通信用伝送路は、雌雄２種類のコネクタと通信路のみで構成され、同じ構成であるにもかかわらず、バストポロジにもループトポロジにも利用することができ、通信システムを容易に構築できる安価な通信用伝送路を提供することができる。
【００４６】
また、本発明のバストポロジ用終端内蔵端末は、終端を備える端末は１つのみでその配置には制限がなく、終端を意識する必要がないため、配線や端末の追加が容易で、配線作業の時間を短縮できるバストポロジ用終端内蔵端末を提供することができる。
【００４７】
また、本発明のバストポロジ用終端非内蔵端末は、終端を備える端末は１つのみでその配置には制限がなく、終端を意識する必要がないため、配線や端末の追加が容易で、配線作業の時間を短縮できるバストポロジ用終端非内蔵端末を提供することができる。
【００４８】
また、本発明のバストポロジ通信システムは、終端を備える端末は１つのみでその配置には制限がなく、終端を意識することなく、容易に配線や端末の追加ができ、配線作業の時間を短縮でき、伝送速度が高速でも通信品質の高いバストポロジ通信システムを提供することができる。
【００４９】
また、本発明のループトポロジ用端末は、送信側と受信側のコネクタの誤挿入を防止することができ、ループを意識する必要がないため、配線や端末の追加が容易で、配線作業の時間を短縮できるループトポロジ用端末またはループトポロジ用光通信端末を提供することができる。
【００５０】
また、本発明のループトポロジ用光通信端末は、送信側と受信側のコネクタの誤挿入を防止することができ、ループを意識する必要がないため、配線や端末の追加が容易で、配線作業の時間を短縮できるループトポロジ用端末またはループトポロジ用光通信端末を提供することができる。
【００５１】
また、本発明のループトポロジ通信システムは、送信側と受信側のコネクタの誤挿入を防止することができ、ループを意識する必要がないため、配線や端末の追加が容易で、配線作業の時間を短縮でき、伝送速度が高速でも通信品質の高いループトポロジ通信システムを提供することができる。
【図面の簡単な説明】
【図１】本発明の第1の実施の形態におけるバストポロジ通信システムの基本的構成図
【図２】本発明の第1および第２の実施の形態における通信用ケーブルの基本的構成図
【図３】本発明の第1および第２の実施の形態における分岐アダプタの基本的構成図
【図４】本発明の第1の実施の形態におけるバストポロジ用終端内蔵端末の基本的構成図
【図５】本発明の第1の実施の形態におけるバストポロジ用終端非内蔵端末の基本的構成図
【図６】本発明の第1の実施の形態における別のバストポロジ通信システムの基本的構成図
【図７】本発明の第1の実施の形態におけるさらに別のバストポロジ通信システムの基本的構成図
【図８】本発明の第２の実施の形態におけるループトポロジ通信システムの基本的構成図
【図９】本発明の第２の実施の形態におけるループトポロジ用端末の基本的構成図
【図１０】本発明の第２の実施の形態におけるループトポロジ用光通信端末の基本的構成図
【図１１】従来のＳＣＳＩバスの終端方式を示す基本的構成図
【符号の説明】
101、102、103、104、105  ・・・・・通信路
201、202、203、301、302  ・・・・・コネクタ
303・・・・・レセプタクル
400  ・・・・・通信用ケーブル
500  ・・・・・分岐アダプタ
600  ・・・・・バストポロジ用終端内蔵端末
601  ・・・・・終端装置
602  ・・・・・バストポロジ用トランシーバ
700  ・・・・・バストポロジ用終端非内蔵端末
800  ・・・・・ループトポロジ用端末
801  ・・・・・ループトポロジ用トランシーバ
801-1・・・・・受信部
801-2・・・・・送信部
900  ・・・・・ループトポロジ用光通信端末
901  ・・・・・ループトポロジ用光トランシーバ
901-1・・・・・受信部
901-2・・・・・送信部
【図１】
0003720246.tif 000002
【図２】
0003720246.tif 000003
【図３】
0003720246.tif 000004
【図４】
0003720246.tif 000005
【図５】
0003720246.tif 000006
【図６】
0003720246.tif 000007
【図７】
0003720246.tif 000008
【図８】
0003720246.tif 000009
【図９】
0003720246.tif 000010
【図１０】
0003720246.tif 000011
【図１１】
0003720246.tif 000012